(57)【要約】      （修正有）【課題】異なる使用者の体型に対して穴位と経路のマッサージを行って、デジタルプログラム化によって制御するデジタルプログラム化できるマッサージ機を提供する。【解決手段】ベース１０と、駆動装置２０と、マッサージ装置３０と、デジタルプログラム制御装置４０とを備えるデジタルプログラム化できるマッサージ機であって、ベース１０は、ベッドのように長方形のものであり、上面後端に線体又はプレート状の基準部材が設けられ、マッサージ装置３０は、一個以上のマッサージ部材３１を有し、このマッサージ部材３１が前記移動部材２１に設けられ、デジタルプログラム制御装置４０は、ベース１０の前端に設けられ、少なくとも制御回路板と、ハードデスクと、記録体読取装置４１と、スイッチ４２と、ファンクションボタン４３とを有し、制御回路板と前記駆動装置２０と前記マッサージ部材３０が電気接続されることを特徴とする。【選択図】        図１
2004298221.tif 000002
【特許請求の範囲】
【請求項１】
ベース（１０）と、駆動装置（２０）と、マッサージ装置（３０）と、デジタルプログラム制御装置（４０）とを備えるデジタルプログラム化できるマッサージ機であって、
ベース（１０）は、ベッドのように長方形のものであり、上面後端に線体又はプレート状の基準部材（１１）が設けられ、
駆動装置（２０）は、ベース（１０）の一側に設けられ、前後、左右と上下へ移動すると回転可能の移動部材（２１）を有し、
マッサージ装置（３０）は、一個以上のマッサージ部材（３１）を有し、このマッサージ部材（３１）が前記移動部材（２１）に設けられ、
デジタルプログラム制御装置（４０）は、ベース（１０）の前端に設けられ、少なくとも制御回路板と、ハードデスクと、記録体読取装置（４１）と、スイッチ（４２）と、ファンクションボタン（４３）とを有し、制御回路板と前記駆動装置（２０）と前記マッサージ部材（３０）が電気接続されることを特徴とするデジタルプログラム化できるマッサージ機。
【請求項２】
駆動装置（２０）は、ベース（１０）の長辺に沿って設けるガイド軌道（２２）を有し、ガイド軌道（２２）に移動可能の直立ロッド（２３）が設けられ、直立ロッド（２３）に上下移動可能の取り付けロッド（２４）が設けられ、取り付けロッド（２４）に回転可能の移動部材（２１）が設けられることにより、該移動部材（２１）が三度空間の移動と回転することを特徴とする請求項１に記載のデジタルプログラム化できるマッサージ機。
【請求項３】
移動部材（２１）に軟質の包み部材（２５）が設けられ、マッサージ部材（３１）が移動部材（２１）における包み部材（２５）の内部に設けられると共に、包み部材（２５）の底部から外方へ延出され、ベース（１０）の上面に優れた通気性を有する軟性マット（１２）が設けられることを特徴とする請求項２に記載のデジタルプログラム化できるマッサージ機。
【発明の詳細な説明】
【０００１】
【発明の属する技術分野】
本発明は、特に異なる使用者の体型に対して穴位と経路のマッサージを行って、デジタルプログラム化によって制御するデジタルプログラム化できるマッサージ機に関するものである。
【０００２】
【従来の技術】
従来の椅子又はマット状などのマッサージ器具は、制御装置によってマッサージ部材を駆動すると共に、振動効果を発生することにより、人体にマッサージ効果を提供するものである。より高級のある製品がプログラム化制御装置によってマッサージ部材を駆動し、人体の背部にマッサージを行っている。このようなマッサージ器具は、例えば台湾実用新案公告第５１７５５４号の「マッサージ椅子とマッサージマットの改良構造」や台湾特許公告第５００６１１号の「マッサージ機」である。
【０００３】
【発明が解決しようとする課題】
しかしながら、従来のマッサージ器具は、単に体の疲労又は筋肉痛を解消するものであるが、使用者の体型によって異なる位置にマッサージを行うことができず、更に、大部分の使用者は自身穴位と経路の箇所をよく知ってないため、体型に対応してマッサージ部材を調整することが無理である。
【０００４】
そこで、出願されたのが本発明であって、異なる使用者の体型に対して穴位と経路のマッサージを行って、デジタルプログラム化によって制御するマッサージ機を提供することを目的としている。
【０００５】
【課題を解決するための手段】
本願の請求項１の発明は、ベース（１０）と、駆動装置（２０）と、マッサージ装置（３０）と、デジタルプログラム制御装置（４０）とを備えるマッサージ機であって、ベース（１０）は、ベッドのように長方形のものであり、上面後端に線体又はプレート状の基準部材（１１）が設けられ、駆動装置（２０）は、ベース（１０）の一側に設けられ、前後、左右と上下へ移動すると回転可能の移動部材（２１）を有し、マッサージ装置（３０）は、一個以上のマッサージ部材（３１）を有し、このマッサージ部材（３１）が前記移動部材（２１）に設けられ、デジタルプログラム制御装置（４０）は、ベース（１０）の前端に設けられ、少なくとも制御回路板と、ハードデスクと、記録体読取装置（４１）と、スイッチ（４２）と、ファンクションボタン（４３）とを有し、制御回路板と前記駆動装置（２０）と前記マッサージ部材（３０）が電気接続されることを特徴とするデジタルプログラム化できるマッサージ機及び、
本願の請求項２の発明は、駆動装置（２０）は、ベース（１０）の長辺に沿って設けるガイド軌道（２２）を有し、ガイド軌道（２２）に移動可能の直立ロッド（２３）が設けられ、直立ロッド（２３）に上下移動可能の取り付けロッド（２４）が設けられ、取り付けロッド（２４）に回転可能の移動部材（２１）が設けられることにより、該移動部材（２１）が三度空間の移動と回転することを特徴とする請求項１に記載のデジタルプログラム化できるマッサージ機及び、
本願の請求項３の発明は、移動部材（２１）に軟質の包み部材（２５）が設けられ、マッサージ部材（３１）が移動部材（２１）における包み部材（２５）の内部に設けられると共に、包み部材（２５）の底部から外方へ延出され、ベース（１０）の上面に優れた通気性を有する軟性マット（１２）が設けられることを特徴とする請求項２に記載のデジタルプログラム化できるマッサージ機、
を提供する。
【０００６】
【作用】
本発明は上記の課題を解決するものであり、ベースと、駆動装置と、マッサージ装置と、デジタルプログラム制御装置とを備え、ベースの前端に設けるデジタルプログラム制御装置により異なる体型に対応する穴位と経路のデジタル資料を記憶し、このデジタル資料を駆動装置の駆動データとして使用すると共に、三度空間の移動と回転することができる駆動装置のマッサージ部材を駆動することにより、異なる体型を有する使用者に対して等しいマッサージ効果を提供することができる。
【０００７】
【発明の実施の形態】
以下、添付図面を参照して本発明の好適な実施の形態を詳細に説明する。
【０００８】
図１は本発明に係わるデジタルプログラム化できるマッサージ機の風圧式マッサージ装置実施例を示す正面図であり、図２は本発明に係わるデジタルプログラム化できるマッサージ機の風圧式マッサージ装置実施例を示す平面図であり、図３は本発明に係わるデジタルプログラム化できるマッサージ機のロッド振動式マッサージ装置実施例を示す正面図であり、図４は本発明に係わるデジタルプログラム化できるマッサージ機の使用状態を示す平面図であり、図５は本発明に係わるデジタルプログラム化できるマッサージ機の使用状態を示す正面図である。
【０００９】
図１及び図２に示すように、本発明に係わるデジタルプログラム化できるマッサージ機は、ベース（１０）と、駆動装置（２０）と、マッサージ装置（３０）と、デジタルプログラム制御装置（４０）とを備える。
【００１０】
ベース（１０）は、ベッドのように長方形のものであり、上面後端に線体又はプレート状の基準部材（１１）が設けられ、駆動装置（２０）は、ベース（１０）の一側に設けられ、前後、左右又は上下へ移動すると回転可能の移動部材（２１）を有すると共に、移動部材（２１）に軟質の包み部材（２５）が設けられ、マッサージ装置（３０）は、一個以上のマッサージ部材（３１）を有し、このマッサージ部材（３１）が前記移動部材（２１）における包み部材（２５）の内部に設けられると共に、包み部材（２５）の底部から外方へ延出され、デジタルプログラム制御装置（４０）は、ベース（１０）の前端に設けられ、少なくとも制御回路板（符号なし）と、デジタル資料を記憶するハードデスク（符号なし）と、フロッピーデスク（登録商標）又は光りデスクなどの記録体に記録した資料を読取する記録体読取装置（４１）と、スイッチ（４２）と、ファンクションボタン（４３）とを有し、制御回路板と前記駆動装置（２０）と前記マッサージ部材（３０）が電気接続され、前記ハードデスクに異なる体型に対応する穴位と経路のデジタル資料を記憶し、この異なる体型に対応する穴位と経路のデジタル資料がスキャナーシステムによって取得された後、ハードデスク、フロッピーデスク又は光りデスクなどの記録体に記録することにより、駆動装置（２０）がマッサージ装置（３０）を駆動する参考データとして使用する。これにより、異なる体型を有する使用者にマッサージ装置（３０）におけるマッサージ部材（３１）によってマッサージを行うことができる。
【００１１】
図１及び図２に示すように、ベース（１０）の上面に優れた通気性を有する軟性マット（１２）が設けられ、駆動装置（２０）は、ベース（１０）の長辺に沿って設けるガイド軌道（２２）を有し、ガイド軌道（２２）に移動可能の直立ロッド（２３）が設けられ、直立ロッド（２３）に上下移動可能の取り付けロッド（２４）が設けられ、取り付けロッド（２４）に回転可能の移動部材（２１）が設けられることにより、該移動部材（２１）が三度空間の移動と回転することを達成できる。
【００１２】
図１及び図２に示すように、本発明に係わるデジタルプログラム化できるマッサージ機におけるマッサージ装置（３０）の第一実施例は、特定の周波数を有する高圧気流を発生することによりマッサージ効果を提供する風圧式マッサージ装置（３０）であり、図３に示すように、本発明に係わるマッサージ機におけるマッサージ装置（３０）の第二実施例は、振動するマッサージロッドによりマッサージ効果を提供するロッド振動式マッサージ装置（３０）であり、又、マッサージ装置（３０）は、赤外線投射により温熱のマッサージ効果を提供する赤外線投射式マッサージ装置、或いは風圧式と赤外線投射式との組合式マッサージ装置、或いはロッド振動式と赤外線投射式との組合式マッサージ装置を使用してもよい。
【００１３】
更に、図１及び図２に示すように、ベース（１０）の前端に設けるデジタルプログラム制御装置（４０）のスイッチ（４２）及びファンクションボタン（４３）は、ベース（１０）に対する設けることにより、使用者は直接に押圧することができ、尚、リモコンによって該デジタルプログラム制御装置（４０）を制御してもよい。
【００１４】
本発明に係わるデジタルプログラム化できるマッサージ機を使用する場合、使用者は先ずスキャナーシステムによって自身体型のデジタル資料をデジタルプログラム制御装置（４０）のハードデスクに記憶し、ファンクションボタン（４３）によってマッサージしたい箇所にマッサージを行う。又、自身体型のデジタル資料をフロッピーデスク（登録商標）又は光りデスクなどの記録体に記録させ、他所における本発明のマッサージ機のデジタルプログラム制御装置（４０）の記録体読取装置（４１）にこの記録体を使用すると共に、使用者の自身体型のデジタル資料を読取する。
【００１５】
又、図４及び図５に示すように、使用者はベース（１０）に寝かして、足部又は頭部が基準部材（１１）に放置される状態で移動部材（２１）のマッサージ部材（３１）を駆動させることにより、使用者の体型に対して穴位と経路のマッサージを行うことができる。
【００１６】
【発明の効果】
本発明は上記の構造を有するので、ベースの前端に設けるデジタルプログラム制御装置により異なる体型に対応する穴位と経路のデジタル資料を記憶し、このデジタル資料を駆動装置の駆動データとして使用すると共に、三度空間の移動と回転することができる駆動装置のマッサージ部材を駆動することにより、異なる体型を有する使用者に対して等しいマッサージ効果を提供することができる。
【図面の簡単な説明】
【図１】本発明に係わるデジタルプログラム化できるマッサージ機の風圧式マッサージ装置実施例を示す正面図である。
【図２】本発明に係わるデジタルプログラム化できるマッサージ機の風圧式マッサージ装置実施例を示す平面図である。
【図３】本発明に係わるデジタルプログラム化できるマッサージ機のロッド振動式マッサージ装置実施例を示す正面図である。
【図４】本発明に係わるデジタルプログラム化できるマッサージ機の使用状態を示す平面図である。
【図５】本発明に係わるデジタルプログラム化できるマッサージ機の使用状態を示す正面図である。
【符号の説明】
１０        ベース
１１        基準部材
１２        マット
２０        駆動装置
２１        移動部材
２２        ガイド軌道
２３        直立ロッド
２４        取り付けロッド
２５        包み部材
３０        マッサージ装置
３１        マッサージ部材
４０        デジタルプログラム制御装置
４１        記録体読取装置
４２        スイッチ
４３        ファンクションボタン
【図１】
2004298221.tif 000003
【図２】
2004298221.tif 000004
【図３】
2004298221.tif 000005
【図４】
2004298221.tif 000006
【図５】
2004298221.tif 000007